(57)【特許請求の範囲】
【請求項１】
シートを重ね合わせ、重ね合わせ面の片面または両面に接着後に剥離可能な感圧性接着剤層を設けてなる重ね合わせシートを、印字の際に前記感圧性接着剤層に加わる印字圧により、前記感圧性接着剤層の印字対応部分で剥離可能に接着したことを特徴とする重ね合わせ綴じシート。
【請求項２】
重ね合わせシートの所望の重ね合わせ面側には、感圧性接着剤層の一部に対応するように複写構造を介在させたことを特徴とする請求項１記載の重ね合わせ綴じシート。
【請求項３】
シートの少なくとも一方の重ね合わせ面に接着後に剥離可能な感圧性接着剤層を設けたシートを重ね合わせて重ね合わせシートとなし、この重ね合わせシートの表出面側から印字してその際加わる印字圧により、前記重ね合わせシートを、前記感圧性接着剤層の印字対応部分で剥離可能に接着することを特徴とする重ね合わせ綴じシートの作成方法。
【発明の詳細な説明】
【０００１】
【産業上の利用分野】
本発明は、複数枚のシートが重ね合わされ、あるいは１枚のシートが折り重ねられてなる重ね合わせシートの一部を剥離可能に接着した重ね合わせ綴じシート及びその作成方法に関する。
【０００２】
【従来の技術】
従来における重ね合わせ綴じシートの綴じ方としては、重ね合わせシートの一縁に沿って線状に綴じ合わせる場合（以下、線綴じという）と、重ね合わせシートの周縁に沿って環状に綴じ合わせる場合（以下、袋綴じという）とが、一般に行われている。そして、線綴じの場合には、接着剤を線状に塗布して接着したり、紙ホッチキス（いわゆる紙綴じ）により綴じ合わせ、袋綴じの場合には、接着剤を所定パターンに塗布して接着しているのが一般的である。
【０００３】
【発明が解決しようとする課題】
このため、従来においては、線綴じの場合は、重ね合わせ綴じシートを積み重ねて保管する際に、接着剤塗布部分にあたる一縁側の厚みが増して傾きが生じてしまうという不都合がある。一方、袋綴じの場合には、接着剤の塗布パターンが決まったものになり、任意のパターンで塗布することは困難であるという不都合がある。さらに、線綴じ、袋綴じのいずれにあっても、切り離しのための切り用ミシン目を設けておく必要があり、また、連続状態で折り重ねて保管していた場合には、いわゆるテンティングが生じてプリント時に支障をきたすという不都合がある。本発明は、このような不都合を解消した重ね合わせ綴じシートを提供することを目的とする。
【０００４】
【課題を解決するための手段】
この目的を達成するために本発明の重ね合わせ綴じシートは、複数のシートを重ね合わせ、あるいは１枚のシートを折り重ね、重ね合わせ面の片面または両面に接着後に剥離可能な感圧性接着剤層を設けてなる重ね合わせシートを、印字の際の印字圧により、前記感圧性接着剤層の印字対応部分で剥離可能に接着したものである。
【０００５】
また、重ね合わせシートの所望の重ね合わせ面に、感圧性接着剤層の一部に対応するように複写構造を介在させて重ね合わせ綴じシートを構成してもよい。
【０００６】
本発明の重ね合わせ綴じシートは、シートの少なくとも一方の重ね合わせ面に接着後に剥離可能な感圧性接着剤層を設けたシートを、複数枚重ね合わせ、あるいは１枚を折り重ねて、重ね合わせシートとなし、この重ね合わせシートの表出面側から印字してその際加わる印字圧により、前記重ね合わせシートを、前記感圧性接着剤層の印字対応部分で剥離可能に接着して作成することができる。
【０００７】
上述の感圧性接着剤層は、非剥離性の感圧性接着剤基剤１００重量部に、この非剥離性の感圧性接着剤基剤に対して非親和性を示す微粒状充てん剤２０〜１３０重量部を配合してなる感圧性接着剤組成物で形成するとよい。非剥離性の感圧性接着剤基剤としては、天然ゴム、合成ゴム等の従来一般に使用されているものの中から任意に選択して使用することができるが、特に、天然ゴムにスチレンとメタクリル酸メチルをグラフト共重合させて得られた天然ゴムラテックスが、耐ブロッキング性、耐熱性、耐磨耗性等の点で好適である。
【０００８】
一方、微粒状充てん剤としては、例えば酸化亜鉛、酸化チタン、炭酸カルシウム、カオリン、活性白土、球状アルミナ、小麦デンプン、シリカ、ガラス粉末、シラスバルーン等が用いられる。これらの材料は単独でもよいし（特にシリカの場合好適である）、２種類以上を組み合わせてもよい。また、粒径の異なる２種類以上を組み合わせて用いると感圧性接着剤層の表面を凹凸状に形成し易いので、剥離性能の向上に有利である。シリカを添加すると、接着剤の塗膜を強化し得るとともに、その多孔質性により、接着剤が表面に付着しやすいので、接着力や剥離力を調整し易いという利点がある。この微粒状充てん剤は、平均粒径が５μｍ〜３０μｍ、好ましくは７μｍ〜２０μｍの範囲にあるものが好適である。
【０００９】
なお、上述の感圧性接着剤層を重ね合わせ面の片面のみに設ける場合には、これと対接する面に接着力調整層を設けることもできる。この接着力調整層は、微細シリカ粉末５０〜９５乾燥重量部とバインダー５〜５０乾燥重量部からなる組成物で形成すると好適であるが、水中に微細に分散した固体シリカ５０〜９５乾燥重量部及びバインダー５〜５０乾燥重量部からなる組成物を３．０ｇ／ｍ2 より少ない塗工重量で塗工して形成するとより好適である。
【００１０】
【作用】
重ね合わせ面の片面または両面に接着後に剥離可能な感圧性接着剤層を設けることにより、印字の際の印字圧によって、前記感圧性接着剤層の印字対応部分が接着して重ね合わせ綴じシートとなり、また、接着後に重ね合わせ面を離反すれば、前記感圧性接着剤層は剥離可能であるから接着部分を損傷することなく容易に剥離できる。
【００１１】
【実施例】
以下、本発明の好適な実施例を添付図面に基づいて詳細に説明する。ここにおいて、図１〜図６は給与明細書に適用した一実施例を示し、図１は連続状態にある給与明細書となるべき控えシート、隠蔽シート、明細シートからなる重ね合わせシートを部分的に破断して示す概略的な平面図、図２はそのＡ−Ａ線断面図、図３は印字した後単片化して給与明細書となった重ね合わせ綴じシートを示す概略的な平面図、図４はそのＢ−Ｂ線断面図、図５は控えシートを除去した給与明細書を示す概略的な平面図、図６は被覆シートを除去した給与明細書を示す概略的な平面図である。また、図７〜図１０は請求書に適用した一実施例を示し、図７は連続状態にある請求書となるべき重ね合わせシートの概略的な平面図、図８はそのＣ−Ｃ線断面図、図９は印字した後単片化して請求書となった重ね合わせ綴じシートを示す概略的な平面図、図１０はそのＤ−Ｄ線断面図である。
【００１２】
まず、図１〜図６に基づき本発明を給与明細書に適用した一実施例について説明する。図１及び図２に示すように、給与明細書となるべき重ね合わせシート１は、控えシート２と隠蔽シート３と明細シート４とを重ね合わせてなり、折り兼切り用ミシン目５を介して多数連接された連続状態にある。また、これら重ね合わせシート１の幅方向両側には、等間隔に多数の移送孔６ａ，６ｂが透設されている。
【００１３】
そして、控えシート２の裏面（隠蔽シート３との重ね合わせ面）、及び前記隠蔽シート３と明細シート４との重ね合わせ面には、通常では接着せず、所定の圧が加えられると接着し、接着後に剥離可能な感圧性接着剤層７，８，９がそれぞれ設けられている。これらの各感圧性接着剤層７，８，９は、天然ゴム１００重量部に対し、スチレン２重量部とメタクリル酸メチル１０重量部とをグラフト共重合させて得られた天然ゴムラテックスに、テルペン樹脂系粘着付与剤５重量部を添加して感圧性接着剤基剤とし、この感圧性接着剤基剤１００重量部に対して、平均粒径８μｍのシリカゲル６０重量部を添加してなる感圧性接着剤組成物を２ｇ／ｍ2 の塗工重量で塗工して形成したものである。
【００１４】
また、上述した各感圧性接着剤層７，８，９の接着力は、感圧性接着剤組成物同士が対接した状態で、所定の圧が加えられると剥離可能ではあるが確実に接着可能となる一方、シート面と感圧性接着剤組成物とが対接した状態では、前記所定圧と同一大の圧が加えられても確実には接着せず極めて容易に剥離可能に接着するよう設定されている。これによって、これら感圧性接着剤層７，８，９が接着すると、控えシート２は隠蔽シート３から極めて容易に剥離可能であり、前記隠蔽シート３と明細シート４とは確実に接着し、剥離可能であるが所定以上の強い離反力を与えないと剥離しない状態になる。
【００１５】
図１に示すように、控えシート２の表面には、社内の所属課名、氏名、支払月を記入する支払対象記入欄１０、支払項目とその金額、控除項目とその金額、支給総額という給与支払の明細を記入する給与明細記入欄１１とともに、「給与明細書（控え）」なる標題１２があらかじめ印刷されている。また、隠蔽シート３の表面には、前記支払対象記入欄１０と同一の支払対象記入欄１３及び「給与明細書」なる標題１４があらかじめ印刷されている。さらに、明細シート４の表面には、「給与明細書」なる標題１５と前記給与明細記入欄１１と同一の給与明細記入欄１６があらかじめ印刷されている。そして、前記支払対象記入欄１０と前記支払対象記入欄１３、及び前記給与明細記入欄１１と前記給与明細記入欄１６とは、それぞれ上下に対応位置している。
【００１６】
図２で明らかなように、隠蔽シート３と明細シート４との重ね合わせ面に設けた各感圧性接着剤層８，９の表面には、給与明細記入欄１６に対応する位置に、ロイコ系染料を内包したマイクロカプセル層からなる発色剤層１７と固体酸からなる顕色剤層１８とが対向して設けられ、ノーカーボン複写構造を構成している。これによって、控えシート２の給与明細記入欄１１への記入事項が、前記給与明細記入欄１６へ複写記入される。また、図示してはいないが、控えシート２の感圧性接着剤層７と前記隠蔽シート３の表面には、支払対象記入欄１３に対応する位置に、前述と同様の発色剤層と顕色剤層とが対向して設けられ、ノーカーボン複写構造を構成している。これによって、前記控えシート２の支払対象記入欄１０への記入事項が、前記支払対象記入欄１３へ複写記入される。
【００１７】
続いて、上述した控えシート２、隠蔽シート３及び明細シート４を重ね合わせてなる重ね合わせシート１を用いて作成する重ね合わせ綴じシートについて説明する。連続状態にある重ね合わせシート１をその移送孔６ａ，６ｂを利用して移送しながら適宜なインパクトプリンタ（図示せず）により、図３に示すように、控えシート２の支払対象記入欄１０には支払対象情報１９を、給与明細記入欄１１には給与明細情報２０をそれぞれ印字するとともに、その周縁に沿って×印２１を連続状に印字する。そして、各折り兼切り用ミシン目５で切断して単位化する。
【００１８】
これによって、隠蔽シート３の支払対象記入欄１３に前記支払対象情報１９と同一の支払対象情報２２が複写記入され（図５参照）、明細シート４の給与明細記入欄１６には給与明細情報２０と同一の給与明細情報２３が複写記入される（図６参照）。また、×印２１の印字による印字圧によって、各感圧性接着剤層７，８，９の印字対応部分が接着状態７ａ，８ａ，９ａとなって、図３及び図４に示すように、前記×印２１印字対応部分において袋綴じされた単位状の重ね合わせ綴じシート２４となる。
【００１９】
この重ね合わせ綴じシート２４は、控えシート２と隠蔽シート３は極めて容易に剥離可能であり、前記控えシート２を剥離すると、図５に示すように、隠蔽シート３が表出することになる。ここで、給与明細情報２３は前記隠蔽シート３により被覆隠蔽されて外部からは視認不能な状態にあり、給与の支払内容が他人に知られることはない。一方、この給与明細書を受け取った正規の対象者は、所定以上の力で隠蔽シート３を明細シート４から離反すると、両シート３，４は剥離して、図６に示すように、自己の給与明細情報２３を確認することができる。
【００２０】
次に、図７〜図１０に基づき本発明を請求書に適用した一実施例について説明する。図７及び図８に示すように、請求書となるべき重ね合わせシート３１は、控えシート３２と請求シート３３とを重ね合わせてなり、折り兼切り用ミシン目３４を介して多数連接された連続状態にある。また、各重ね合わせシート３１の幅方向両側には、等間隔に多数の移送孔３５ａ，３５ｂが透設されている。
【００２１】
そして、控えシート３２の裏面である請求シート３３との重ね合わせ面には、通常では接着せず、所定の圧が加えられると接着し、接着後に剥離可能な感圧性接着剤層３６が設けられている。この感圧性接着剤層３６の構成及び接着力等の機能については、上述した各感圧性接着剤層７，８，９と同一なので、その説明は省略する。
【００２２】
図７に示すように、控えシート３２の表面には、発行番号記入欄３７、発行年月日記入欄３８、請求先記入欄３９、請求明細記入欄４０とともに、「ご請求書（控え）」なる標題４１、発行元表示４２があらかじめ印刷されている。また、請求シート３３の表面には、図示していないが、前記発行番号記入欄３７、前記発行年月日記入欄３８、前記請求先記入欄３９、前記請求明細記入欄４０、前記発行元表示４２と同一の記入欄及び表示が上下に対応する位置に印刷されている。同じく図示してはいないが、前記標題４１と上下に対応する位置には、「ご請求書」なる標題が印刷されている。
【００２３】
図８で明らかなように、控えシート３２の感圧性接着剤層３６の表面と請求シート３３との対接面には、発行番号記入欄３７、発行年月日記入欄３８、請求先記入欄３９及び請求明細記入欄４０に対応する位置に、ロイコ系染料を内包したマイクロカプセル層からなる発色剤層４３と固体酸からなる顕色剤層４４とが対向して設けられ、ノーカーボン複写構造を構成している。これによって、控えシート３２の各記入欄３７，３８，３９，４０への記入事項が、請求シート３３の図示していないそれぞれ対応する各記入欄へ複写記入される。
【００２４】
続いて、上述した控えシート３２と請求シート３３を重ね合わせてなる重ね合わせシート３１を用いて作成する重ね合わせ綴じシートについて説明する。連続状態にある重ね合わせシート３１をその移送孔３５ａ，３５ｂを利用して移送しながら適宜なインパクトプリンタ（図示せず）により、図９に示すように、控えシート３２の発行番号記入欄３７には所定の発行番号４３を、発行年月日記入欄３８には発行年月日４４を、請求先記入欄３９には請求先名４５を、請求明細記入欄４０には請求明細情報４６をそれぞれ印字するとともに、移送孔３５ａに沿って×印４７を連続状に印字する。そして、各折り兼切り用ミシン目３４で切断して単位化する。
【００２５】
これによって、図示してはいないが、請求シート３３の対応する各欄にも上述の発行番号４３、発行年月日４４、請求先名４５、請求明細情報４６と同一の情報が複写記入される。また、×印４７の印字による印字圧によって、感圧性接着剤層３６の印字対応部分が接着状態３６ａとなり、図１０に示すように、前記×印４７印字対応部分において線綴じされた単位状の重ね合わせ綴じシート４８となる。
【００２６】
この重ね合わせ綴じシート４８の控えシート３２と請求シート３３は極めて容易に剥離可能であり、前記控えシート２を剥離すると、図示してはいないが、請求シート３３が表出することになる。したがって、この請求シート３３を請求書として使用することができる。
【００２７】
なお、本発明は上述した各実施例に限定されるものではなく、例えば、控えシート２と隠蔽シート３との重ね合わせ面、及び控えシート３２と請求シート３３との重ね合わせ面には、各控えシート２，３２側の感圧性接着剤層７，３６だけでなく、隠蔽シート３側あるいは請求シート３３側にも同様の感圧性接着剤層を設けてもよいものである。また、隠蔽シート３と明細シート４との重ね合わせ面に設けた感圧性接着剤層８，９は、いずれか一方のみでもよいものである。これら感圧性接着剤層７，８，９，３６を重ね合わせシート１，３１における各重ね合わせ面の両面に設けるか、片面に設けるかは、必要な接着強度に応じて選択するもので、印字情報の秘匿性が求められる場合には、確実な接着力を確保するために重ね合わせ面の両面に設けることが望ましい。そして、感圧性接着剤層７，８，９，３６を重ね合わせ面の片面に設ける場合には、上述したような接着力調整層を対向するように設けると、接着力を増強することができる。
【００２８】
また、重ね合わせシート１，３１は、複数枚のシート２，３，４，３２，３３を重ね合わせて構成するほか、１枚のシートを折り重ねて構成してもよい。さらに、重ね合わせ綴じシート２４，４８は、給与明細書や請求書のほか、保険の設計書、健康診断の結果報告書等、種々の用途に適用可能である。さらにまた、綴じ合わせる態様も線綴じと袋綴じとに限られるものではなく、一対の端部に沿って綴じ合わせたり、重ね合わせ面のほぼ全面にわたって綴じ合わせてもよいものである。重ね合わせ面に複写構造を介在させた場合には、この複写構造の設置部分については接着不能となるから、複写構造のように、感圧性接着剤層７，８，９，３６の対接面を被覆する構造を設けることによって、印字部分を制約することなく、所望位置に綴じ部分を形成することが可能となる。
【００２９】
【発明の効果】
以上説明したところで明らかなように、本発明によれば、綴じ合わせ用の接着剤を部分的に設ける必要がないので、部分的な嵩張りが生じることがなく、重ね合わせ綴じシートの保管が容易であり、また、印字により綴じ合わせ部分を形成するので、綴じ合わせ部分のパターンは任意に設定可能であり、さらに、綴じ合わせ部分は剥離可能であるから切り用ミシン目が不要となり、またさらには、重ね合わせ綴じシートを連続する折り畳み状態から引き出して印字する際に、いわゆるテンティングが無いので、印字動作を円滑かつ確実になしうるという多くの効果を奏する。
【図面の簡単な説明】
【図１】連続状態にある給与明細書になるべき控えシート、隠蔽シート、明細シートからなる重ね合わせシートを部分的に破断して示す概略的な平面図。
【図２】図１のＡ−Ａ線断面図。
【図３】給与明細書となった重ね合わせ綴じシートを示す概略的な平面図。
【図４】図３のＢ−Ｂ線断面図。
【図５】控えシートを除去した給与明細書を示す概略的な平面図。
【図６】被覆シートを除去した給与明細書を示す概略的な平面図。
【図７】他の実施例を示し、連続状態にある請求書となるべき重ね合わせシートの概略的な平面図。
【図８】図７のＣ−Ｃ線断面図。
【図９】請求書となった重ね合わせ綴じシートを示す概略的な平面図。
【図１０】図９のＤ−Ｄ線断面図。
【符号の説明】
１，３１      重ね合わせシート
２，３２      控えシート
３      隠蔽シート
４      明細シート
７，８，９，３６      感圧性接着剤層
７ａ，８ａ，９ａ，３６ａ      接着部分
１７，４３      発色剤層
１８，４４      顕色剤層
２１，４７      ×印
２４，４８      重ね合わせ綴じシート
３３      請求シート
【図１】
0003659681.tif 000002
【図２】
0003659681.tif 000003
【図３】
0003659681.tif 000004
【図４】
0003659681.tif 000005
【図５】
0003659681.tif 000006
【図６】
0003659681.tif 000007
【図７】
0003659681.tif 000008
【図８】
0003659681.tif 000009
【図９】
0003659681.tif 000010
【図１０】
0003659681.tif 000011